(57)【要約】【課題】  食器、調理器具の手洗い洗浄を短時間かつ簡単に行うことができる洗浄方法及び洗浄剤組成物を提供すること。【解決手段】  （ａ）アルキルエトキシレートサルフェート、（ｂ）アルキルエトキシレート（平均ＥＯ付加モル数５〜２５）及び／又は芳香族スルホン酸塩を１質量％以上、（ｃ）界面活性剤を合計２０〜６０質量％含有し、（ｄ）２５℃におけるｐHが5〜７で、粘度が２００ｍＰａ・ｓ以下、イオン交換水で２倍に希釈したときの２倍希釈液の粘度が希釈前の液体の粘度以下であり、５倍に希釈したときの５倍希釈液の粘度が希釈前の液体粘度の４０％以下となる液体洗浄剤組成物を０．１〜３質量％含有する水道水中に、被洗物を１〜５分間浸漬した後、スポンジなど洗浄器具を用いて擦り洗いすることを特徴とする食器、調理器具の洗浄方法。【選択図】なし【特許請求の範囲】
【請求項１】
（ａ）アルキルエトキシレートサルフェート、
（ｂ）アルキルエトキシレート（平均ＥＯ付加モル数５〜２５）及び／又は芳香族スルホン酸塩を１質量％以上、
（ｃ）界面活性剤を合計２０〜６０質量％含有し、
（ｄ）２５℃におけるｐHが5〜７で、粘度が２００ｍＰａ・ｓ以下、イオン交換水で２倍に希釈したときの２倍希釈液の粘度が希釈前の液体の粘度以下であり、５倍に希釈したときの５倍希釈液の粘度が希釈前の液体粘度の４０％以下となる液体洗浄剤組成物を０．１〜３質量％含有する水道水中に、被洗物を１〜５分間浸漬した後、スポンジなど洗浄器具を用いて擦り洗いすることを特徴とする食器、調理器具の洗浄方法。
【請求項２】
食器、調理器具を、洗浄剤の希釈水溶液に浸漬処理する工程を経て洗浄する洗浄剤組成物であって、
（ａ’）アルキルエトキシレートサルフェート３〜９質量％、
（ｂ’）アルキルエトキシレート（平均ＥＯ付加モル数５〜２５）、クメンスルホン酸塩及びキシレンスルホン酸塩から選ばれる少なくとも１種を２〜１５質量％、
（ｃ’）アニオン界面活性剤を合計１２〜２０質量％含有し、
（ｄ’）２５℃におけるｐHが5〜７で、粘度が２００ｍＰａ・ｓ以下、イオン交換水で２倍に希釈したときの２倍希釈液の粘度が希釈前の液体の粘度以下であり、５倍に希釈したときの５倍希釈液の粘度が希釈前の液体粘度の４０％以下となる液体洗浄剤組成物。
【請求項３】
芳香族スルホン酸塩が、クメンスルホン酸塩又はキシレンスルホン酸塩である請求項１に記載の洗浄方法。
【請求項４】
さらに、半極性界面活性剤を含有する請求項２に記載の洗浄剤組成物、又は請求項３に記載の洗浄方法。
【発明の詳細な説明】
【技術分野】
【０００１】
本発明は、短時間の浸漬処理と手洗いで優れた洗浄力を発揮する食器、調理器具の洗浄方法及び洗浄剤組成物に関する。
【背景技術】
【０００２】
石鹸工業会２００１年調査（ｎ＝３１５）によれば、家庭において食後の後片づけはアイロン掛けに次いで最も嫌いな家事で、負担感の強いものとされている。
一般に、家庭での食器、調理器具の洗浄は、主に下記２つの方法で行われている。
（Ａ）スポンジ等の器具に洗剤を取り、それを用いて被洗物を擦り洗いする方法。
（Ｂ）たらいやシンク等に水をはり洗剤を薄めて、漬けおきを行った後に、スポンジ等の器具を用いて擦り洗いする方法。
【０００３】
上記（Ａ）の方法では、強固な汚れの付着した被洗物を洗う場合には強い機械力が必要であるばかりか、２度洗いも必要となり、強い負担感の原因となっている。
その課題を解決するために（Ｂ）の浸漬する工程を加えるのがよいが、ほとんどの場合水のみに浸漬し、しかも３０分以上被洗物を浸漬するため洗浄時間が長くかかり、負担感の軽減に結びついていない。更に、油汚れが多量に付着した被洗物を同時に浸漬すると、他の食器に汚れが付着する、ぬるぬるするなど、食器洗いの嫌悪感や負担感を増大させる原因となる。
強固な汚れに対し、浸漬処理用の洗浄剤組成物が提案されているが、洗浄剤を水道水で希釈する課程で増粘／ゲル化する傾向があるため、浸漬する桶に入れて洗浄剤を事前によく混ぜる必要があり、しかも、長時間の浸漬処理が必要である（特許文献１、２参照）。
【特許文献１】特表２００１−５０８４８７号公報
【特許文献２】特表２００１−５２２９３１号公報
【発明の開示】
【発明が解決しようとする課題】
【０００４】
上記の事情から、食器、調理器具の手洗い洗浄を短時間かつ簡単に行うことができる洗浄方法及び洗浄剤組成物が望まれていた。
【課題を解決するための手段】
【０００５】
本発明者らは、上記課題を解決するために鋭意検討を重ねた結果、特定のアニオン界面活性剤と特定のアルキルエトキシレート、芳香族スルホン酸塩とを組み合わせて、特定のｐH及び粘度／粘度挙動になるように液体洗浄剤組成物を調製することにより、水道水で希釈したとき、該組成物が増粘／ゲル化することなく、速やかに水中に拡散して均一に溶解し、被洗物を１〜５分間浸漬するだけで優れた洗浄力が得られることを見出し、本発明を完成するに至った。
【０００６】
すなわち、本発明は、以下の（１）に記載の洗浄方法又は（２）に記載の組成物である。
（１）（ａ）アルキルエトキシレートサルフェート、
（ｂ）アルキルエトキシレート（平均ＥＯ付加モル数５〜２５）及び／又は芳香族スルホン酸塩を１質量％以上、
（ｃ）界面活性剤を合計２０〜６０質量％含有し、
（ｄ）２５℃におけるｐHが5〜７で、粘度が２００ｍＰａ・ｓ以下、イオン交換水で２倍に希釈したときの２倍希釈液の粘度が希釈前の液体の粘度以下であり、５倍に希釈したときの５倍希釈液の粘度が希釈前の液体粘度の４０％以下となる液体洗浄剤組成物を０．１〜３質量％含有する水道水中に、被洗物を１〜５分間浸漬した後、スポンジなど洗浄器具を用いて擦り洗いすることを特徴とする食器、調理器具の洗浄方法。
（２）食器、調理器具を、洗浄剤の希釈水溶液に浸漬処理する工程を経て洗浄する洗浄剤組成物であって、
（ａ’）アルキルエトキシレートサルフェート３〜９質量％、
（ｂ’）アルキルエトキシレート（平均ＥＯ付加モル数５〜２５）、クメンスルホン酸塩及びキシレンスルホン酸塩から選ばれる少なくとも１種を２〜１５質量％、
（ｃ’）アニオン界面活性剤を合計１２〜２０質量％含有し、
（ｄ’）２５℃におけるｐHが5〜７で、粘度が２００ｍＰａ・ｓ以下、イオン交換水で２倍に希釈したときの２倍希釈液の粘度が希釈前の液体の粘度以下であり、５倍に希釈したときの５倍希釈液の粘度が希釈前の液体粘度の４０％以下となる液体洗浄剤組成物。
上記（１）の発明において、芳香族スルホン酸塩が、クメンスルホン酸塩及び／又はキシレンスルホン酸塩であることが好ましい。
上記（１）又は（２）において、さらに、半極性界面活性剤を含有することが好ましい。
【発明の効果】
【０００７】
本発明によると、短時間かつ簡単に食器、調理器具の手洗いができるので、食器、調理器具洗いの負担を軽減できる。
【発明を実施するための最良の形態】
【０００８】
以下に、（１）の本発明について詳細に説明する。
【０００９】
本発明に用いられる（ａ）成分であるアルキルエトキシレートサルフェートは、アルキル基の炭素数が好ましくは、８〜１８、更に好ましくは１０〜１４、特に１２〜１３であり、直鎖率は、６０〜９０質量％が好適である。
エチレンオキサイド（ＥＯ）の付加モル数は、洗浄性能及び皮膚刺激の点から、好ましくは１〜７、さらに好ましくは１〜４である。特に、最も多く存在する分子種のエチレンオキサイド付加モル数をＮとしたとき、Ｎが正の整数であり、かつ、エチレンオキサイド付加モル数が(Ｎ−１)〜(Ｎ＋１)の範囲である分子種の占める割合が５５〜８０質量％であるものが、特に好適である。
液体洗浄剤組成物中の（ａ）成分の含有量は、２〜３０質量％の範囲で使用できるが、コスト・パフォーマンスの点から好ましくは３〜９質量％である。
（ｃ）成分である界面活性剤の合計量は、洗浄性能の点から２０〜６０質量％が好ましく、より好ましくは２０〜４０質量％である。
（ｂ）成分として、以下（ｂ−１）及び／又は（ｂ−２）が使用される。
（ｂ−１）アルキルエトキシレート
炭素数８〜２０、好ましくは１０〜１６の直鎖又は分岐のアルキル基を有する１価アルコールにエチレンオキサイドが平均５〜２５モル、好ましくは、８〜２０モル付加したものである。
（ｂ−２）芳香族スルホン酸塩
クメンスルホン酸塩、キシレンスルホン酸塩、トルエンスルホン酸塩等が使用できるが、粘度低下効果に優れたクメンスルホン酸塩、キシレンスルホン酸塩が好ましい。
塩としては、ナトリウム、カリウム塩が好ましい。
上記（ｂ）成分は、単独又は併用して使用され、その含有量は、１質量％以上、好ましくは、２〜１５質量％である。（ｂ）成分がこの範囲において、洗浄剤組成物を水道水で希釈する際の粘度上昇を抑制する効果が十分に発揮される。
さらに、洗浄性能及び皮膚刺激を低減するために、半極性界面活性剤を含有することが好ましい。半極性界面活性剤としては、アルキルアミンオキシド、アルキルアミドアミンオキシド、アルキルヒドロキシアミンオキシド等が使用できる。含有量は１〜１０質量％、特に２〜８質量％が好適である。
本発明に用いる洗浄剤組成物は、２５℃におけるｐHが5〜７、好ましくは６〜７であり、粘度が２００ｍＰａ・ｓ以下、好ましくは、１００〜１８０ｍＰａ・ｓである。
上記のｐＨ範囲で優れた洗浄力が得られる。なお、上記の粘度は、以下の方法で測定した値である。
[粘度の測定法]
２５℃に調整した洗浄剤またはイオン交換水で所定倍数希釈した洗浄剤を、ＢＬ型粘度計（TOKIMEC社製、ＰＶＬ−Ｂ２）を用い、回転数６０rpm、ローターNo.2にて１分後の値（粘度：ｍＰａ・ｓ）を測定。
また、洗浄剤組成物は、イオン交換水で２倍に希釈したときの２倍希釈液の粘度が希釈前の液体の粘度以下、好ましくは、５０〜１５０ｍＰａ・ｓ、特に５０〜１００ｍＰａ・ｓであり、５倍に希釈したときの５倍希釈液の粘度が希釈前の液体粘度の４０％以下、好ましくは、１０〜３０％となるように調製する。
水希釈時の粘度が上記範囲よりも大きく上昇する洗浄剤組成物は、水に滴下しただけでは溶液全体への拡散が十分に行われず、浸漬工程で洗浄剤成分が有効に作用しなくなる。
【００１０】
本発明において、（ａ）〜（ｃ）成分等を上記の範囲とし、任意成分、特にエタノールやポリエチレングリコール等のハイドロトロープの含有量を微調整することで上記のような粘度／粘度挙動を示す洗浄剤組成物を容易に調製できる。
本発明において、液体洗浄剤組成物を０．１〜３質量％、好ましくは０．３〜３質量％含有する水道水中に、被洗物を１〜５分間浸漬した後、スポンジなど洗浄器具を用いて擦り洗いする。
洗浄剤組成物を水道水で希釈する際に、洗浄剤、水道水、被洗物の添加順序は、特に規定しないが、以下の方法が挙げられる。
（ｄ−１）あらかじめ水道水を張った桶に洗浄剤組成物を滴下し、被洗物をその桶に入れる。
（ｄ−２）被洗物を桶にいれてから、被洗物が十分に浸る量の水を注ぎ、洗浄剤組成物を滴下する。
（ｄ−３）あらかじめ水道水を張った桶に被洗物を入れてから洗浄剤組成物を滴下する。
（ｄ−４）食器又は調理器具に水道水を注ぎ、洗浄剤組成物を滴下する。
（ｄ−５）食器又は調理器具に洗浄剤組成物を滴下し、水道水を注ぐ。
水温は、室温でよいが、冬季等では、お湯を加えて２０〜４０℃にすると、洗浄力が向上するので好ましい。
【００１１】
浸漬時間は、１〜５分間、特に１〜３分間が好ましく、この時間範囲では、負担に感じない。
洗浄器具は、特に限定するものではないが、好ましくは、ウレタン又はセルロース製スポンジ、ナイロン不織布付きウレタン又はセルロース製スポンジ、たわし、柄付きブラシ等が使用できる。
次に、（２）の本発明について詳細に説明する。
本発明の洗浄剤組成物は、食器、調理器具を、洗浄剤の希釈水溶液に浸漬処理する工程を経て洗浄する洗浄剤組成物であって、その洗浄方法は、液体洗浄剤組成物を０．１〜３質量％、好ましくは０．３〜３質量％含有する水道水中に、被洗物を１〜５分間浸漬した後、スポンジなど洗浄器具を用いて擦り洗いするものである。
本発明に用いられる（ａ’）については、上記（１）の発明の（ａ）の記載と同様である。
（ｂ’）成分は、アルキルエトキシレート（平均ＥＯ付加モル数５〜２５）、クメンスルホン酸塩及びキシレンスルホン酸塩から選ばれる少なくとも１種を２〜１５質量％である。アルキルエトキシレート（平均ＥＯ付加モル数５〜２５）については、上記（１）の発明の（ｂ−１）成分に記載のものと同様である。
クメンスルホン酸塩及びキシレンスルホン酸塩については、ナトリウム、カリウム塩が好ましく、クメンスルホン酸及びキシレンスルホン酸を対応するアルカリで中和してもよい。
【００１２】
（ｃ’）成分として、アニオン界面活性剤を合計１２〜２０質量％含有する。
（ａ’）成分以外に、アニオン界面活性剤としては、アルキルまたはアルケニル硫酸塩、アルキルベンゼンスルホン酸塩、アルカンスルホン酸塩、アルキルまたはアルケニルエーテルカルボン酸塩、αスルホ脂肪酸誘導体、αオレフィンスルホン酸塩、αスルホ脂肪酸アルキルエステル塩、スルホコハク酸塩、アルキルリン酸エステル塩、天然脂肪酸石鹸、アルキルエトキシサルフェート、アミドエーテルカルボン酸塩、アミノ酸系アニオン活性剤等が使用できる。塩としてはナトリウム、カリウム塩が好ましい。
【００１３】
上記アニオン界面活性剤の中で、コスト・パフォーマンスの点から好ましくは、アルキルまたはアルケニル硫酸塩、アルキルベンゼンスルホン酸塩、アルカンスルホン酸塩、αオレフィンスルホン酸塩である。
【００１４】
この他に、両性界面活性剤、非イオン界面活性剤、半極性界面活性剤、カチオン界面活性剤等を含有することができ、界面活性剤の合計量は、洗浄性能の点から２０〜６０質量％が好ましく、より好ましくは２０〜４０質量％である。
【００１５】
上記の界面活性剤の中で洗浄性能及び皮膚刺激を低減するために、半極性界面活性剤を含有することが好ましい。半極性界面活性剤としては、アルキルアミンオキシド、アルキルアミドアミンオキシド、アルキルヒドロキシアミンオキシド等が使用できる。
含有量は１〜１０質量％、特に２〜８質量％が好適である。
半極性界面活性剤を配合すると洗浄剤の粘度が増大することから、この系では、本発明の効果が特に、顕著に現れる。
【００１６】
両性界面活性剤、非イオン界面活性剤、カチオン界面活性剤として、以下のものが使用できる。
両性界面活性剤：カルボキシベタイン、アミノカルボン酸塩、アルキルスルホベタイン、ヒドロキシアルキルスルホベタイン、アルキルイミダゾリニウムベタイン、アルキルベタイン、アルキルアミドプロピルベタイン等
ノニオン界面活性剤：上記（ｃ'）以外のアルキルエトキシレート、脂肪酸アルカノールアミド、ポリオキシエチレンソルビタンエステル、ソルビタンエステル、ソルビトールエステル、蔗糖脂肪酸エステル、メチルグルコシドエステル、メチルマンノシドエステル、エチルグルコシドエステル、Ｎ−メチルグルカミド、環状Ｎ−メチルグルカミド、アルキルグルコシド、アルキルポリグルコシド、アルキルグリセリルエーテル、ソルビタン脂肪酸エステル、ポリオキシエチレンアシルエステル、脂肪酸グリコシドエステル、脂肪酸メチルグリコシドエステル、アルキルメチルグルカミド等
カチオン界面活性剤：アルキルアミン塩酸塩や第４級アンモニウム塩等
上記界面活性剤の中で泡性能の点で炭素数１２〜１４の脂肪酸アルカノールアミドを含有することが好ましい。含有量は、１〜１０質量％、特に２〜８質量％が好適である。
【００１７】
本発明の洗浄剤組成物は、２５℃におけるｐHが5〜７、好ましくは６〜７であり、粘度が２００ｍＰａ・ｓ以下、好ましくは、１００〜１８０ｍＰａ・ｓである。
５倍に希釈したときの５倍希釈液の粘度が希釈前の液体粘度の４０％以下、好ましくは、１０〜３０％である。
粘度の測定法や粘度挙動の調整等の詳細は上記（１）の発明の記載と同様である。
【００１８】
本発明では、被洗浄物の水切れ性を向上させる成分を使用することにより、洗浄から乾燥工程の負担感を低減できる。このような成分としては、ゼリー強度が１００〜３００ブルームのゼラチンや等電点が８．０〜１０．０のゼラチンが好ましい。更に好ましくは等電点が９．０〜１０．０のゼラチンである。これらゼラチンの含有量は０．０１〜１質量％が好ましい。  特に、等電点８．０〜１０．０のゼラチンは、低含有量で効果を発揮するので、より好適である。ゼラチンの具体例としては、豚皮由来のゼラチン（新田ゼラチン製、ゼラチンAP-150）、鮫皮由来のゼラチン（ゼライス（株）製、ゼラチンＢＬＵＥ）が挙げられる。
【００１９】
本発明では、任意成分として、本発明の効果を損なわない範囲で、さらに種々の添加剤を用いることができる。例えば、グリセリン、ソルビトールなどの多価アルコール、ポリエチレングリコール、芳香族カルボン酸等のハイドロトロープ剤、クエン酸（塩）、ＥＤＴＡ、グリコール酸（塩）等の金属イオン封鎖剤、マグネシウム塩、カルシウム塩等の無機塩、安息香酸、硫酸亜鉛等の抗菌剤、色素、香料、乳白剤、天然多糖類、粘土鉱物等の増粘剤、ＢＨＴ、アスコルビン酸等の抗酸化剤などが使用できる。
【００２０】
香料として使用される香料原料のリストは、様々な文献、例えば「Ｐｅｒｆｕｍｅ ａｎｄ Ｆｌａｖｏｒ Ｃｈｅｍｉｃａｌｓ 」，Ｖｏｌ．Iａｎｄ II，Ｓｔｅｆｆｅｎ Ａｒｃｔａｎｄｅｒ，Ａｌｌｕｒｅｄ Ｐｕｂ．Ｃｏ．（１９９４）および「合成香料 化学と商品知識」、印藤元一著、化学工業日報社（１９９６）および「Ｐｅｒｆｕｍｅ ａｎｄ Ｆｌａｖｏｒ Ｍａｔｅｒｉａｌｓ ｏｆ Ｎａｔｕｒａｌ Ｏｒｉｇｉｎ 」，Ｓｔｅｆｆｅｎ Ａｒｃｔａｎｄｅｒ，Ａｌｌｕｒｅｄ Ｐｕｂ．Ｃｏ．（１９９４ ）および「香りの百科」、日本香料協会編、朝倉書店（１９８９）および「Ｐｅｒｆｕｍｅｒｙ Ｍａｔｅｒｉａｌ Ｐｅｒｆｏｒｍａｎｃｅ Ｖ．３．３」，Ｂｏｅｌｅｎｓ Ａｒｏｍａ Ｃｈｅｍｉｃａｌ Ｉｎｆｏｒｍａｔｉｏｎ Ｓｅｒｖｉｃｅ（１９９６）および「Ｆｌｏｗｅｒ ｏｉｌｓ ａｎｄ Ｆｌｏｒａｌ Ｃｏｍｐｏｕｎｄｓ Ｉｎ Ｐｅｒｆｕｍｅｒｙ」，Ｄａｎｕｔｅ Ｌａｊａｕｊｉｓ Ａｎｏｎｉｓ，Ａｌｌｕｒｅｄ Ｐｕｂ．Ｃｏ．（１９９３）等で見られ、それぞれを引用することにより本明細書の開示の一部とされる。
【００２１】
（２）の発明について、特に好適な実施の形態を以下に示す。
食器、調理器具を、洗浄剤の希釈水溶液に浸漬処理する工程を経て洗浄する洗浄剤組成物であって、
（ａ’）アルキルエトキシレートサルフェート３〜９質量％、
（ａ1） 半極性界面活性剤２〜８質量％、脂肪酸アルカノールアミド２〜８質量％、
（ｂ’）アルキルエトキシレート（平均ＥＯ付加モル数５〜２５）、クメンスルホン酸塩及びキシレンスルホン酸塩から選ばれる少なくとも１種を２〜１５質量％、
（ｃ1）アニオン界面活性剤を合計１２〜２０質量％、等電点が８．０〜１０．０のゼラチンを０．０１〜１質量％含有し、
（ｄ’）２５℃におけるｐHが5〜７で、粘度が２００ｍＰａ・ｓ以下、イオン交換水で２倍に希釈したときの２倍希釈液の粘度が希釈前の液体の粘度以下であり、５倍に希釈したときの５倍希釈液の粘度が希釈前の液体粘度の４０％以下となる液体洗浄剤組成物。
【実施例】
【００２２】
〔実施例１〜５、比較例１〜５〕
表１に示す組成の液体洗浄剤組成物を調製し、洗浄時の負担感について、以下のように評価し、その結果を併せて、表１に示す。なお、組成物及び希釈液の粘度は、以下の方法で測定した。表１から本発明では、洗浄時の負担が著しく軽減されていることがわかる。
また、特定のゼラチンを配合した実施例１、２、４について、水切れ性の評価は、それぞれ、○〜△、○、○と良好な結果が得られた。
[粘度の測定法]
２５℃に調整した洗浄剤またはイオン交換水で所定倍数希釈した洗浄剤を、ＢＬ型粘度計（TOKIMEC社製、ＰＶＬ−Ｂ２）を用い、回転数６０rpm、ローターNo.2にて１分後の値（粘度：ｍＰａ・ｓ）を測定した。
[洗浄の負担感の評価]
（１）モデル汚れの作成
直径２０ｃｍの陶器皿にカレー（大塚製薬、ボンカレー中辛）６ｇ、ごはん（佐藤食品工業、サトウのごはん）４ｇを混ぜ合わせながら皿全体に塗り広げた後、７．５ｇを除去した。その後皿を２５℃６０％ＲＨの恒温室にて１時間乾燥させた。評価に用いるまではラップをかけて乾燥状態が変わらないように維持した。
（２）洗浄
あらかじめ２５℃の水道水２Ｌを桶にはっておき、２０ｇの洗浄剤組成物（但し実施例５では６ｇ、比較例４では１ｇ）を滴下して手で軽く１回転攪拌した。
（１）で作成したモデル汚れ皿を１枚を桶に投入、１分間浸漬後、あらかじめ水道水３８ｇ、洗浄剤組成物２ｇを含ませたスポンジを用いて、汚れが除去できるまで擦り洗いを行う。１つの評価につきこれを３回繰り返した。
（３）判定  各パネラーごとに下記評価基準に基づいて点数付けを行い、３人のパネラーの平均点をもって負担感軽減を評価した。
−２  非常に楽に汚れが落ちる
−１  楽に汚れが落ちる
０  どちらともいえない
＋１  あまり楽に汚れが落ちない
＋２  非常に汚れが落ちにくい
［水切れ性の評価法］
被洗物：φ２１ｃｍ陶器皿
汚垢  ：無し
洗浄方法：１１．５ｃｍ×７．５ｃｍ×３ｃｍの食器洗い用スポンジに３８ｇの水道水と２ｇの洗浄剤組成物をとり、数回手で揉んだ後、陶器皿１枚の表面を一定の回数を擦り、流水中（水道水）で充分にすすいだ。
【００２３】
この皿を垂直に立てかけ、５分後、水切れ性を下記評価基準で目視評価した。
評価基準：
○：ほぼ水切れした
△：やや水切れした
×：全く水切れしなかった
使用原料：
AES(3)：Ｃ12-13アルキルエトキシ(EO=3)硫酸エステルナトリウム塩
NRES(2)：直鎖率８０質量％のＣ12-13アルキルエトキシ(EO=2)硫酸エステルナトリウム塩、ＥＯ付加モル数１〜３モルの分子種の占める割合が６５質量％
BRE(15)：ポリオキシエチレン(EO=15)アルキル（Ｃ12）エーテル
pTS-H：p-トルエンスルホン酸
CS-H：クメンスルホン酸
mXS-H：m-キシレンスルホン酸
AS：Ｃ12-13アルキル硫酸エステルナトリウム塩
SAS：Ｃ14〜16セカンダリーアルキルスルホン酸ナトリウム塩
AOS：Ｃ14アルファオレフィンスルホン酸ナトリウム
LAS：Ｃ10〜14直鎖アルキルベンゼンスルホン酸ナトリウム
AX：Ｃ12アルキルジメチルアミンオキシド
APAX：Ｃ12アルキルアミドプロピルジメチルアミンオキシド
LPB：Ｃ12アルキルアミドプロピルベタイン
LDE：ラウリン酸ジエタノールアミド
安息香酸Na：安息香酸ナトリウム
ソルビトール：ソルビトール
PEG：ポリエチレングリコール（分子量1000）
ZnSO4：硫酸亜鉛
MgSO4：硫酸マグネシウム
EtOH：エタノール
クエン酸Na：クエン酸３ナトリウム
硫酸：硫酸
NaOH：水酸化ナトリウム
香料：特開２００２―３２７１９４号公報、表４〜１１に記載の香料組成物Ａ
色素：黄色２０３号
ゼラチンＡ：ゼラチンAP-150（新田ゼラチン（株）製、ゼリー強度１６０ブルーム、等電点８．５）
ゼラチンＢ：ゼラチンＢＬＵＥ（ゼライス（株）製、ゼリー強度１２０ブルーム、等電点９．１）
水：東京都江戸川区平井の水道水
［ｐＨ調整方法］
Ｈ2ＳＯ4又はＮａＯＨで所定ｐＨに調整。
【００２４】
【表１】
2005089590.tif 000002